(57)【要約】【課題】噴射される液体燃料をより効率よく昇温する。【解決手段】液体燃料供給装置は、供給される液体燃料を噴射する噴射部と、噴射部から噴射される液体燃料を加熱する加熱部と、噴射部、及び、加熱部を内部に有する流路であって、噴射部から加熱部に向かう方向に断面積が大きくなるような放物曲面を有するガスの流路と、を備える。噴射部は、放物曲面と放物曲面の焦点とを結ぶ領域に配置される、または、噴射部から噴射される液体燃料が領域を通過するように配置される。【選択図】図１
2019106265.tif 000002
【特許請求の範囲】
【請求項１】
供給される液体燃料を噴射する噴射部と、
前記噴射部から噴射される前記液体燃料を加熱する加熱部と、
前記噴射部、及び、前記加熱部を内部に有する流路であって、前記噴射部から前記加熱部に向かう方向に断面積が大きくなるような放物曲面を有するガスの流路と、を備え、
前記噴射部は、前記放物曲面と前記放物曲面の焦点とを結ぶ領域に配置される、または、前記噴射部から噴射される前記液体燃料が前記領域を通過するように配置される、液体燃料供給装置。
【請求項２】
請求項１に記載の液体燃料供給装置であって、
前記流路においては、前記噴射部から前記加熱部に向かう方向に前記ガスが流れる、液体燃料供給装置。
【請求項３】
請求項１または２に記載の液体燃料供給装置であって、
前記流路の内面における前記放物曲面が構成される部分は、前記加熱部から発される電磁波の反射を促進するように鏡面状に構成される、液体燃料供給装置。
【請求項４】
請求項１から３のいずれか１項に記載の液体燃料供給装置であって、
前記噴射部は、前記加熱部から発される電磁波の吸収を促進するように、黒色の塗装及び表面が凹凸状の少なくとも一方のように構成される、液体燃料供給装置。
【請求項５】
請求項１から４のいずれか１項に記載の液体燃料供給装置であって、
前記噴射部と延長部を介して接続される燃料供給部を、さらに備え、
前記噴射部は、前記流路の内に設けられ、
前記燃料供給部は、前記流路の外に設けられる、液体燃料供給装置。
【請求項６】
請求項１から５のいずれか１項に記載の液体燃料供給装置であって、
前記加熱部は、前記噴射部が吸収しやすい波長スペクトルを有する電磁波を発する第１加熱部と、前記液体燃料が吸収しやすい波長スペクトルを有する電磁波を発する第２加熱部と、を有する、液体燃料供給装置。
【請求項７】
請求項１から６のいずれか１項に記載の液体燃料供給装置であって、
前記加熱部と前記噴射部との間に設けられる蛍光部をさらに有する、液体燃料供給装置。
【請求項８】
請求項１から７のいずれか１項に記載の液体燃料供給装置を有する燃料電池システムであって、
前記液体燃料供給装置は、さらに、
前記加熱部に対して前記断面積が大きくなる方向に隣接して設けられる触媒を有する、燃料電池システム。
【発明の詳細な説明】
【技術分野】
【０００１】
本発明は、液体燃料供給装置、及び、液体燃料供給装置を有する燃料電池システムに関する。
【背景技術】
【０００２】
液体燃料は、様々なシステムにおいて利用されており、例えば、ガスなどが流れる配管において噴射部から噴射されて燃焼などの反応が行われる。特許文献１には、排気管において液体燃料が還元剤として噴射ノズルから噴射される排気浄化装置が開示されている。この排気浄化装置によれば、噴射された液体燃料が加熱装置により改質されてガスが発生し、このガスを用いた還元反応が行われる。
【先行技術文献】
【特許文献】
【０００３】
【特許文献１】特開２００７−１７７６７２号公報
【発明の概要】
【発明が解決しようとする課題】
【０００４】
一般に、液体燃料の粘度は温度特性があり、温度が高ければ粘度が低く、温度が低ければ粘度が高い。また、噴射部は、そのノズルの形状などによって、予め定められた粒径で噴射されるように構成されている。しかしながら、液体燃料を用いるシステムにおいて、起動時などのシステム全体の温度が低い場合には、液体燃料の粘度が高くなり噴射部から定められた粒径で噴射できないおそれがある。さらに、燃料の温度が低い場合には、燃焼などの反応が進行しにくくなるおそれもある。
【０００５】
特許文献１に開示された排気浄化装置においては、液体燃料を噴射する前から加熱装置を起動して噴射部を予め暖めておくことで、液体燃料の粘度を低くしてから噴射することが考えられる。しかしながら、噴射部が加熱装置の上流に設けられている場合には、噴射部へと向かう対流は発生しない。そのため、加熱装置により加熱されたガスの対流によって、噴射部や噴射後の液体燃料を昇温することが難しい。そのため、噴射部、及び、噴射部から噴射される液体燃料を効率よく加熱する方法を検討する必要がある。
【０００６】
本発明は、噴射部から噴射される液体燃料を効率よく加熱させることができる液体燃料供給装置を提供することを目的とする。
【課題を解決するための手段】
【０００７】
本発明の液体燃料供給装置の一態様によれば、供給される液体燃料を噴射する噴射部と、噴射部から噴射される液体燃料を加熱する加熱部と、噴射部、及び、加熱部を内部に有する流路であって、噴射部から加熱部に向かう方向に断面積が大きくなるような放物曲面を有するガスの流路と、を備える。噴射部は、放物曲面と放物曲面の焦点とを結ぶ領域に配置される、または、噴射部から噴射される液体燃料が当該領域を通過するように配置される。
【発明の効果】
【０００８】
一態様の液体燃料供給装置によれば、噴射される液体燃料をより効率よく昇温することが可能となる。
【図面の簡単な説明】
【０００９】
【図１】図１は、第１実施形態の液体燃料供給装置の概略構成図である。
【図２】図２は、液体燃料供給装置を有する燃料電池システムの概略構成図である。
【図３Ａ】図３Ａは、第１変形例の液体燃料供給装置の概略構成図である。
【図３Ｂ】図３Ｂは、第２変形例の液体燃料供給装置の概略構成図である。
【図４Ａ】図４Ａは、第３変形例の液体燃料供給装置の概略構成図である。
【図４Ｂ】図４Ｂは、第４変形例の液体燃料供給装置の概略構成図である。
【図５】図５は、第２実施形態の液体燃料供給装置の概略構成図である。
【図６Ａ】図６Ａは、第３実施形態の液体燃料供給装置の概略構成図である。
【図６Ｂ】図６Ｂは、第５変形例の液体燃料供給装置の概略構成図である。
【図７】図７は、第４実施形態の液体燃料供給装置の概略構成図である。
【発明を実施するための形態】
【００１０】
以下、図面を参照して、本発明の実施形態について説明する。
【００１１】
（第１実施形態）
図１は、本発明の第１実施形態による液体燃料供給装置１０の概略構成図である。
【００１２】
本実施形態では、燃料電池システムに用いられる液体燃料供給装置１０の一例について示している。この液体燃料供給装置１０は、燃料電池スタックからの排気に含まれる未燃ガスを酸化させる排気燃焼を行わせる触媒を備える。さらに、システム起動時においては、噴射される液体燃料が触媒と反応して起動燃焼が行われて液体燃料供給装置１０の暖気運転がなされる。なお、液体燃料供給装置１０が燃料電池システム以外に用いられる場合には、触媒を有する必要はない。
【００１３】
ダクト１１は、流路の一例であり、ダクト１１においては燃料電池スタックからの排気が図の左方から右方へと流れる。液体燃料供給装置１０には、外部に設けられた液体燃料タンク（点線にて図示）から液体燃料の供給経路に設けられる噴射弁１２と、噴射弁１２から供給される液体燃料が通る供給管１３が設けられている。供給管１３は、先端に設けられるノズル１３Ａから液体燃料を噴射可能に構成されている。噴射弁１２は、燃料供給部の一例であり、供給管１３、及び、ノズル１３Ａは、噴射部１４の構成の一例である。なお、噴射部１４は、金属で構成されている。また、噴射弁１２と噴射部１４とをあわせて、噴射装置１５と称するものとする。
【００１４】
噴射部１４の下流には、排気中の未燃燃料を酸化させる触媒１６が設けられている。また、触媒１６の上流側の端面に隣接するように、ヒータなどの加熱部１７が設けられている。
【００１５】
燃料電池システムの起動直後は、通常、液体燃料供給装置１０の温度が低い。このような場合には、触媒１６の温度が触媒反応の進行する温度まで達しておらず、触媒反応が進行しないおそれがある。そこで、加熱部１７によって触媒１６を加熱することにより触媒反応を行わせることができるので、未燃燃料の燃料電池システム外への排出を抑制することができる。
【００１６】
また、システム起動時には暖機運転をする必要があるが、噴射部１４から噴射される液体燃料は、温度が低い場合には、触媒１６との反応の進行が遅い。そこで、加熱部１７により昇温された液体燃料を用いることで、液体燃料と触媒１６との反応速度が向上するので暖機時間を短縮できる。
【００１７】
ダクト１１には、ノズル１３Ａの近傍において径が狭くなる絞り１１Ａが設けられるとともに、絞り１１Ａから下流側に向かって放物曲面１１Ｂが形成されている。すなわち、ダクト１１は、ノズル１３Ａが設けられる側から加熱部１７が設けられる側へと断面積が大きくなるような断面が放物曲面となるように側面が構成されている。なお、放物曲面１１Ｂは、焦点１１Ｃを有する。
【００１８】
ここで、加熱部１７は、数百度程度まで温度が上昇するが、その発生熱量の半分近くのエネルギーは一般に輻射熱と称される電磁波として放射することが知られている。加熱部１７から電磁波は上流側と下流側とにそれぞれ放射され、上流側に放射される輻射熱はダクト１１の放物曲面１１Ｂにあたると反射して、放物曲面１１Ｂの焦点１１Ｃに集中する。
【００１９】
この図においては、ノズル１３Ａが焦点１１Ｃに設けられることにより、ノズル１３Ａやノズル１３Ａから噴射される液体燃料に電磁波が集まりやすくなり、加熱効率を向上させることができる。このようにすると、ノズル１３Ａから噴射される液体燃料は、電磁波が集中する放物曲面１１Ｂと焦点１１Ｃとを結ぶ領域を通ることになるので昇温される。
【００２０】
図２は、液体燃料供給装置１０を有する燃料電池システム１００の概略構成図である。この例において、液体燃料供給装置１０は、触媒装置１０Ａとして用いられている。触媒装置１０Ａは、排気燃焼器であるとともに起動燃焼器としても動作する。
【００２１】
図２に示す燃料電池システム１００は、例えば車両に搭載されるシステムであり車両の駆動源となる。燃料電池システム１００は、固体酸化物型燃料電池（ＳＯＦＣ）を積層して構成された燃料電池スタック１と、燃料電池スタック１の発電に用いられる液体燃料を蓄える燃料タンク２と、を備えている。
【００２２】
燃料電池スタック１は、アノードガス及びカソードガスの供給を受けて発電する電池である。燃料電池スタック１の発電電力は、車両に搭載されたバッテリを充電や、電動モータ等を駆動などに用いられる。また、燃料電池スタック１には、アノードガスとカソードガスとの２系統のガス流路の系統が存在する。
【００２３】
アノードガスの系統においては、燃料電池スタック１に対して、燃料タンク２から供給される燃料がアノードガス通路２１を介して流入する。そして、燃料電池スタック１から排出されるアノードオフガスは、アノードオフガス通路２２を介して、排出される。
【００２４】
燃料タンク２に貯蔵される液体燃料は、燃料電池スタック１に供給されるアノードガスの材料であるとともに、触媒装置１０Ａにおける酸化触媒によって燃料電池システム１００の全体の暖機に利用される。液体燃料は、例えば、水とエタノールからなる燃料（例えば、４５体積％のエタノールを含有する含水エタノール）である。また、液体燃料は、含水エタノールに限られず、ガソリン又はメタノール等を含む液体燃料であってもよい。アノードガスの系統に設けられる構成の詳細については、後に説明する。
【００２５】
カソードガスの系統においては、燃料電池スタック１に対してカソードガス通路２３を介して大気が流入する。そして、燃料電池スタック１からカソードオフガス通路２４を介してカソードオフガスが排出される。
【００２６】
燃料電池スタック１からアノードオフガス通路２２を介して排出されるアノードオフガスと、カソードオフガス通路２４を介して排出されるカソードオフガスとは、触媒装置１０Ａにおいて合流し、燃焼ガス通路２５を介して大気へと排出される。
【００２７】
次に、アノードガス通路２１における詳細な構成について説明する。
【００２８】
アノードガス通路２１には、上流から順に、蒸発器３、燃料熱交換器４、及び改質器５が設けられている。
【００２９】
アノードガス通路２１からは、蒸発器３の上流側において燃料供給路２６が分岐している。燃料供給路２６を介して、燃料タンク２と触媒装置１０Ａとが接続される。
【００３０】
アノードガス通路２１における燃料供給路２６の分岐点と、蒸発器３との間には第１インジェクタ３１が設けられ、燃料供給路２６には第２インジェクタ３２が設けられている。第１インジェクタ３１と第２インジェクタ３２との操作により、燃料タンク２からの液体燃料の流れを、アノードガス通路２１と燃料供給路２６との間で切り換えることが可能となる。
【００３１】
具体的には、第１インジェクタ３１は、コントローラ４０からの指令信号に応じて作動し、蒸発器３に対して液体燃料を連続的又は間欠的に噴射供給するよう構成されている。また、第２インジェクタ３２は、コントローラ４０からの指令信号に応じて作動し、液体燃料供給装置１０に対して液体燃料を連続的又は間欠的に噴射供給するよう構成されている。
【００３２】
蒸発器３は、触媒装置１０Ａから燃焼ガス通路２５を通じて供給される焼ガスとの熱交換によって液体燃料を加熱する。このようにして、蒸発器３は、第１インジェクタ３１を介して供給される液体燃料（含水エタノール）を加熱し、エタノールガスを生成する。
【００３３】
燃料熱交換器４は、触媒装置１０Ａにおける酸化触媒反応（燃焼）により生じた燃焼ガスの熱を用いて、蒸発器３にて生成されるエタノールガスをさらに加熱する。
【００３４】
改質器５は、改質用触媒を内蔵しており、燃料熱交換器４から供給されるガスを改質し、水素等を含むアノードガスを生成する。改質器５で生成されたアノードガスは、燃料電池スタック１に供給される。
【００３５】
次に、カソードガス通路２３における詳細な構成について説明する。
【００３６】
空気熱交換器６は、カソードガス通路２３に設けられており、触媒装置１０Ａから燃焼ガス通路２５を通じて供給される燃焼ガスとの熱交換により、カソードガス通路２３を流れるカソードガス（空気）を加熱する。
【００３７】
また、カソードガス通路２３の開放端付近にエアコンプレッサ７が配置されている。カソードガスとして大気中の空気が、エアコンプレッサ７を通じてカソードガス通路２３に吸入される。カソードガスは、空気熱交換器６を通過する際に加熱され、燃料電池スタック１に供給される。
【００３８】
最後に、アノードオフガス通路２２から排出されるアノードオフガスと、カソードオフガス通路２４から排出されるカソードオフガスとは、触媒装置１０Ａにて合流する。そして、燃料電池スタック１からの排気に含まれる未燃のアノードガスは、触媒１６によって酸化される。このようにすることで、燃焼ガス通路２５からの排気に未燃ガスが含まれることが抑制される。
【００３９】
このようにして、本実施形態では、触媒装置１０Ａ（液体燃料供給装置１０）の触媒１６は、燃料電池スタック１からの未燃ガスの酸化触媒反応のために用いられる。また、起動時においては、噴射部１４から噴射される液体燃料が触媒１６で発熱反応をすることで暖機を行うことができる。そのため、上記のように、液体燃料供給装置１０が触媒装置１０Ａとして用いられない場合には、液体燃料供給装置１０は触媒１６を有さなくてもよい。
【００４０】
また、図１の例においては、ノズル１３Ａを放物曲面１１Ｂの焦点１１Ｃに設けたが、これに限らない。変形例のように噴射部１４を配置してもよい。また、ダクト１１は、放物曲面１１Ｂの代わりに断面が楕円状に設けられてもよい。そのような場合には、焦点１１Ｃは楕円の焦点のうちの１つに相当する。
【００４１】
（第１変形例）
図３Ａは、第１変形例の液体燃料供給装置１０の構成図である。この図によれば、噴射弁１２はダクト１１の外に設けられ、ノズル１３Ａはダクト１１内において放物曲面１１Ｂと焦点１１Ｃとを結ぶ領域に設けられる。放物曲面１１Ｂと焦点１１Ｃとを結ぶ領域は、他の領域と比較すると電磁波が集中するので、ノズル１３Ａ及びノズル１３Ａから噴射される液体燃料は昇温しやすくなる。
【００４２】
（第２変形例）
図３Ｂは、第２変形例の液体燃料供給装置１０の構成図である。この図によれば、ノズル１３Ａは、焦点１１Ｃを通るダクト１１の軸上であって、焦点１１Ｃよりも下流側に設けられる。このように構成しても、ノズル１３Ａから噴射される液体燃料は、電磁波が集中する放物曲面１１Ｂと焦点１１Ｃとを結ぶ領域を通るので、昇温されることになる。
【００４３】
第１実施形態によれば、以下の効果を得ることができる。
【００４４】
第１実施形態の液体燃料供給装置１０によれば、加熱部１７から放射される電磁波（輻射熱）は、上流側に設けられる放物曲面１１Ｂにおいて反射され、焦点１１Ｃに集中される。そして、図１に示すように噴射部１４が図１に示したような焦点１１Ｃの上に設けられたり、図３Ａ及び図３Ｂに示されるようにノズル１３Ａから噴射される液体燃料が放物曲面１１Ｂと焦点１１Ｃとを結ぶ領域を通るように、噴射部１４が設けられたりする
【００４５】
ここで、数百℃の温度となる加熱部１７は，その発生熱量の半分近くを電磁波として外部に放射する。加熱部１７からの電磁波は上流と下流にそれぞれ放射されるが、上流側においては放射された電磁波は放物曲面１１Ｂにおいて反射されて焦点１１Ｃに集中するので、放物曲面１１Ｂと焦点１１Ｃとを結ぶ領域は昇温しやすい。
【００４６】
ここで、システムの起動直後のようにダクト１１が低温である場合には、ノズル１３Ａからの液体燃料が比較的温度が低く適切な粒径で噴射することができない。また、液体燃料の温度が低ければ触媒１６にて反応しない。しかしながら、このような構成となることで、放物曲面１１Ｂと焦点１１Ｃとを結ぶ領域は昇温しやすくなるので、ノズル１３Ａやノズル１３Ａから噴射される液体燃料を効率よく加熱することができる。その結果、噴射後の液体燃料が加熱されやすくなるため液体燃料の酸化加熱が加速されて、液体燃料供給装置１０の暖機時間を短くすることができる。また、ノズル１３Ａが昇温される場合には、加熱されて粘度が下がった液体燃料をノズル１３Ａから適切な粒径で噴射することができる。
【００４７】
第１実施形態の液体燃料供給装置１０は、図２に示したように、燃料電池システム１００に用いられる。このような場合には、液体燃料供給装置１０は触媒装置１０Ａとして用いられており、ダクト１１内では噴射部１４から加熱部１７に向かう方向にガスが流れる。そのため、加熱部１７における発熱は、対流よりも輻射熱として噴射部１４に伝わる。そのため、ダクト１１が放物曲面１１Ｂを有することにより焦点１１Ｃに電磁波が集中するので、液体燃料を効率よく加熱することができる。
【００４８】
（第３変形例）
また、放物曲面１１Ｂの内面の一部を、電磁波の反射を促進するように構成する変形例も考えられる。
【００４９】
図４Ａは、第３変形例の液体燃料供給装置１０の構成図である。
【００５０】
この図によれば、ダクト１１の内面における放物曲面１１Ｂが設けられる部分は、鏡面加工された鏡面部１１Ｄを有する。このようにすることで、焦点１１Ｃに電磁波をより集中させることができる。なお、鏡面部１１Ｄは、放物曲面１１Ｂの全領域であってもよい。
【００５１】
第３変形例によれば、以下の効果を得ることができる。
【００５２】
第３変形例の液体燃料供給装置１０によれば、図４Ａに示すように、放物曲面１１Ｂの内面は電磁波の反射を促進するように鏡面で構成される。このようにすることで、放物曲面１１Ｂにおける反射率が高まるので、より多くの電磁波を焦点１１Ｃに集中させることができ、液体燃料を効率よく加熱することができる。
【００５３】
（第４変形例）
噴射部１４の一部を、電磁波の吸収を促進するように構成する変形例も考えられる。
【００５４】
図４Ｂは、第５変形例の液体燃料供給装置１０の構成図である。
【００５５】
この図によれば、供給管１３の先端の周辺において、電磁波の吸収を促進するように、黒色で塗装されるともに表面が凹凸を有するような吸収部１３Ｂを備える。吸収部１３Ｂにおいては、その黒色の性質や、凹凸を有する表面において乱反射が複数回行われることで、供給管１３は集中した電磁波をより吸収しやすくなるので、加熱効率を上昇させることができる。
【００５６】
第１実施形態の液体燃料供給装置１０によれば、図４Ｂに示すように、ノズル１３Ａが設けられる供給管１３の先端の周辺は電磁波の吸収を促進するように、黒色で着色されるとともに表面が凹凸を有するように構成される。このようにすることで、噴射部１４のノズル１３Ａの近傍における電磁波の吸収率が高まるので、より多くの電磁波を吸収し、ノズル１３Ａの近傍にある液体燃料を効率よく加熱することができる。
【００５７】
（第２実施形態）
第１実施形態においては、噴射部１４の供給管１３が直線状に設けられる例について説明した。本実施形態においては、噴射部１４の供給管１３が屈曲部を有する例について説明する。
【００５８】
図４は、第２実施形態の液体燃料供給装置１０の構成図である。
【００５９】
この図によれば、噴射弁１２はダクト１１の外に設けられており、さらに、噴射弁１２と供給管１３との間に延長部１８が設けられている。このように構成しても、ノズル１３Ａは焦点１１Ｃの近傍にあるとともに、噴射される液体燃料はノズル１３Ａが放物曲面１１Ｂと焦点１１Ｃとを結ぶ領域を通過することになるので、液体燃料の加熱を促進することができる。
【００６０】
第２実施形態によれば以下の効果を得ることができる。
【００６１】
第２実施形態の液体燃料供給装置１０によれば、延長部１８が設けられることで、噴射弁１２をダクト１１の外に設けることができるので、噴射弁１２は加熱されにくくなるので熱に起因する動作不良を抑制できる。さらに、延長部１８を設けることにより、噴射弁１２、及び、噴射部１４の配置の自由度を向上させることができる。
【００６２】
（第３実施形態）
第１及び第２実施形態においては、加熱部１７が照射される電磁波の波長ピークが１種類である例について説明した。第３実施形態においては、加熱部１７から２種類の波長ピークの電磁波が発せられる例について説明する。
【００６３】
図６Ａは、第３実施形態の液体燃料供給装置１０の構成図である。
【００６４】
この図によれば、加熱部１７は、液体燃料が吸収しやすい波長スペクトルのピークを有する電磁波ピークを照射する第１加熱部１７−１と、噴射部１４を形成する金属が吸収しやすい波長スペクトルのピークを有する電磁波を照射する第２加熱部１７−２とにより構成される。第１加熱部１７−１は、比較的温度が低いので、波長は長く（周波数が小さい）なり、液体燃料が吸収しやすい波長スペクトルとなる。第２加熱部１７−２は、比較的温度が高いので、波長は短く（周波数が大きい）なり、液体燃料が吸収しやすい波長スペクトルとなる。図６Ａの例においては、ダクト１１の内の周方向において、第１加熱部１７−１は外周の近傍に設けられる、第２加熱部１７−２は軸中心の近傍に設けられる。
【００６５】
また、放物曲面１１Ｂは、上流側に設けられる第１放物曲面１１Ｂ−１と、下流側に設けられる第２放物曲面１１Ｂ−２との２種類により構成されている。第１放物曲面１１Ｂ−１によって、第１加熱部１７−１から照射される電磁波は第１焦点１１Ｃ−１に集中する。第２放物曲面１１Ｂ−２によって、第２加熱部１７−２から照射される電磁波は第２焦点１１Ｃ−２に集中する。このように構成することで、以下に説明するように、噴射部１４と、噴射部１４から噴射される液体燃料との加熱をさらに効率よくすることができる。
【００６６】
第３実施形態によれば以下の効果を得ることができる。
【００６７】
第３実施形態の液体燃料供給装置１０によれば、第１加熱部１７−１から照射される液体燃料が吸収しやすい波長スペクトルの電磁波は、第１焦点１１Ｃ−１の近傍に集中するので、ノズル１３Ａから噴射される液体燃料を集中的に加熱することができる。第２加熱部１７−２から照射される金属が吸収しやすい波長スペクトルの電磁波は、第２焦点１１Ｃ−２の近傍に集中するので、ノズル１３Ａが設けられる供給管１３を集中的に加熱することができる。したがって、噴射部１４と、噴射部１４から噴射される液体燃料とのそれぞれぞれの加熱効率があがるので、全体としての加熱効率も上昇する。
【００６８】
（第５変形例）
第１加熱部１７−１と第２加熱部１７−２との配置の変形例が考えられる。図６Ｂに示されるように、第１加熱部１７−１と第２加熱部１７−２とが、周方向において上半分と下半分とに設けられてもよい。そのような場合には、放物曲面１１Ｂのうち、上部に第１放物曲面１１Ｂ−１が設けられ、下部に第２放物曲面１１Ｂ−２が設けられる。
【００６９】
（第４実施形態）
第１乃至第３実施形態においては、加熱部１７から照射される電磁波ピークをそのままのピークで用いる例について説明した。第４実施形態においては、加熱部１７から照射される電磁波の周波数ピークを変更する例について説明する。
【００７０】
図６は、第３実施形態の液体燃料供給装置１０の構成図である。
【００７１】
この図によれば、加熱部１７から噴射部１４に向かう上流側に蛍光部１９が設けられている。蛍光部１９は、加熱部１７から照射される電磁波の周波数を変更することができる。そのため、周波数が変更された後の電磁波が噴射部１４や噴射部１４から噴射される液体燃料の吸収しやすい周波数ピークを有する電磁波スペクトラムとなるような蛍光部１９を選択することで、液体燃料の昇温効率を向上させることができる。
【００７２】
第４実施形態によれば以下の効果を得ることができる。
【００７３】
第４実施形態の液体燃料供給装置１０によれば、加熱部１７と噴射部１４との間に蛍光部１９が設けられている。蛍光部１９においては、加熱部１７から照射される電磁波の周波数が変更される。蛍光部１９における周波数の変更後の電磁波が、噴射部１４や液体燃料の吸収しやすい電磁波スペクトラムの周波数ピークを有することで、液体燃料の昇温効率を向上させることができる。
【００７４】
さらに、加熱部１７を噴射部１４や液体燃料の吸収しやすい電磁波スペクトラムに応じて決定する必要がなくなり、加熱部１７と蛍光部１９との組み合わせによって設計できるので、設計の自由度を向上させることができる。
【００７５】
以上、本発明の実施形態について説明したが、上記実施形態は本発明の適用例の一部を示したに過ぎず、本発明の技術的範囲を上記実施形態の具体的構成に限定する趣旨ではない。また、上記実施形態は、適宜組み合わせ可能である。
【符号の説明】
【００７６】
２    燃料タンク
１０    液体燃料供給装置
１０Ａ  触媒装置
１１    ダクト
１１Ｂ  放物曲面
１１Ｃ  焦点
１２    噴射弁
１３    供給管
１３Ａ    ノズル
１４    噴射部
１５    噴射装置
１６    触媒
１７    加熱部
１００  燃料電池システム
【図１】
2019106265.tif 000003
【図２】
2019106265.tif 000004
【図３Ａ】
2019106265.tif 000005
【図３Ｂ】
2019106265.tif 000006
【図４Ａ】
2019106265.tif 000007
【図４Ｂ】
2019106265.tif 000008
【図５】
2019106265.tif 000009
【図６Ａ】
2019106265.tif 000010
【図６Ｂ】
2019106265.tif 000011
【図７】
2019106265.tif 000012